(57)【特許請求の範囲】
【請求項１】
椅子の座体を支持する支持部材にカバー部材を取り付ける構造であって、
前記支持部材の側壁に設けられた被掛止部と、
前記カバー部材における前記支持部材の側壁の外側面に臨む側壁に設けられ、前記被掛止部に係合してカバー部材を支持部材に掛止する掛止部と、
前記座体に設けられ、座体を前記支持部材上に配置したときに前記カバー部材の側壁の外側面に当接ないし近接し、当該側壁が外側方に変位して前記掛止部が前記被掛止部から脱離することを抑止する保定部と
を具備するカバーの取付構造。
【請求項２】
前記保定部は、前記支持部材に支持され外側方に突出する軸体に嵌合するものである請求項１記載のカバーの取付構造。
【請求項３】
前記支持部材の上方に第二カバー部材を配置するものとし、
前記カバー部材の側壁に設けられた被係合部と、
前記第二カバー部材に設けられ、前記被係合部に係合し、前記カバー部材の側壁が外側方に変位して前記掛止部が前記被掛止部から脱離することを抑止する係合部と
をさらに具備する請求項１または２記載のカバーの取付構造。
【請求項４】
前記支持部材の上方に第二カバー部材を配置するものとし、
前記カバー部材の側壁に設けられ、前記支持部材に支持され外側方に突出する軸体の外周の約半分に当接ないし近接する略半弧状の周縁を有した下軸孔部と、
前記第二カバー部材における前記カバー部材の側壁と略面一となる側壁に設けられ、前記軸体の外周の残りの約半分に当接ないし近接する略半弧状の周縁を有した上軸孔部とをさらに具備し、
前記下軸孔部と前記上軸孔部とがなす軸孔に前記軸体を挿通している請求項１、２または３記載のカバーの取付構造。
【請求項５】
前記下軸孔部と前記上軸孔部とが当接する当接面の一方に他方に向かって延出する舌片が設けられ、他方に前記舌片が差し入る凹溝が設けられている請求項４記載のカバーの取付構造。
【請求項６】
前記支持部材の上方に第二カバー部材を配置するものとし、
前記支持部材の側壁または前記カバー部材の側壁に設けられた被係留部と、
前記カバー部材に設けられ、前記支持部材の側壁の外側面とカバー部材の側壁の内側面との間隙を保つ内外スペーサと、
前記第二カバー部材に設けられ、前記間隙を介して前記被係留部に係合し、第二カバー部材を前記支持部材または前記カバー部材に係留する係留部と
をさらに具備する請求項１、２、３、４または５記載のカバーの取付構造。
【請求項７】
前記被係留部が、前記支持部材の側壁の下縁に設けられ、
さらに、前記カバー部材に、前記支持部材の側壁の下縁とこれに臨む前記カバー部材の下壁との間隙を保つ上下スペーサが設けられており、
前記係留部が、前記間隙を介して前記被係留部に係合している請求項６記載のカバーの取付構造。
【発明の詳細な説明】
【技術分野】
【０００１】
本発明は、椅子における支基や背支桿等を被覆するカバーの取付の構造に関する。
【背景技術】
【０００２】
執務空間等で使用される執務用椅子は一般に、脚と、脚に結合した支基と、支基に枢着した背支桿と、支基及び背支桿に跨るように載置した座と、背支桿に支持させた背凭れとを主要な構成要素とする。
【０００３】
このような椅子の支基や背支桿は金属鋳造品や板金成形品であることが通例で、これを被覆する樹脂製の化粧カバーを装着することも多い（例えば、下記特許文献を参照）。
【特許文献１】特開２００３−１８９９６３号公報
【発明の開示】
【発明が解決しようとする課題】
【０００４】
カバーは、椅子の使用中に脱落しないよう支基及び／または背支桿に確実に組み付ける必要がある。カバーの組み付けを確実ならしめようとすると、取付構造が複雑化する。取付構造の複雑化は、カバー等の部材の形状の複雑化に伴う部材製造コストの上昇、製品組立時におけるカバーの組み付け作業の手間の増大といった問題を招く。
【０００５】
以上に鑑みてなされた本発明は、カバーの取付構造を簡素化し、カバーの組み付け作業の手間を軽減しようとするものである。
【課題を解決するための手段】
【０００６】
本発明では、椅子の座体を支持する支持部材にカバー部材を取り付ける構造であって、前記支持部材の側壁に設けられた被掛止部と、前記カバー部材における前記支持部材の側壁の外側面に臨む側壁に設けられ、前記被掛止部に係合してカバー部材を支持部材に掛止する掛止部と、前記座体に設けられ、座体を前記支持部材上に配置したときに前記カバー部材の側壁の外側面に当接ないし近接し、当該側壁が外側方に変位して前記掛止部が前記被掛止部から脱離することを抑止する保定部とを具備するカバーの取付構造を構成した。これにより、掛止部と被掛止部との係合構造が簡素なものとしても、カバー部材の支持部材からの脱落を効果的に防止することができる。そして、カバー部材の支持部材への組み付け作業の手間も軽減される。
【０００７】
前記保定部が前記支持部材に支持され外側方に突出する軸体に嵌合するものであれば、カバー部材の脱落を防止する手段である保定部が座体を軸体に組み付ける手段、または軸体を被覆する手段をも兼ねることとなる。即ち、座体を軸体に組み付ける部材や軸体を被覆する部材を別途用いる必要がなくなり、余分な部材点数の増加が避けられる。ここに言う軸体とは、例えば支持部材と他の部材とを相対回動可能に枢着するヒンジ軸や、支持部材内に実装した各種メカを操作するための操作軸等である。
【０００８】
前記支持部材の上方に第二カバー部材を配置するものとし、前記カバー部材の側壁に設けられた被係合部と、前記第二カバー部材に設けられ、前記被係合部に係合し、前記カバー部材の側壁が外側方に変位して前記掛止部が前記被掛止部から脱離することを抑止する係合部とをさらに具備する構造とすれば、座体の保定部に加えて第二カバー部材によってもカバー部材の支持部材からの脱落を防止できる。このことは、掛止部と被掛止部との係合構造の一層の簡素化に資する。
【０００９】
前記支持部材の上方に第二カバー部材を配置するものとし、前記カバー部材の側壁に設けられ、前記支持部材に支持され外側方に突出する軸体の外周の約半分に当接ないし近接する略半弧状の周縁を有した下軸孔部と、前記第二カバー部材における前記カバー部材の側壁と略面一となる側壁に設けられ、前記軸体の外周の残りの約半分に当接ないし近接する略半弧状の周縁を有した上軸孔部とをさらに具備し、前記下軸孔部と前記上軸孔部とがなす軸孔に前記軸体を挿通している構造とすれば、カバー部材及び第二カバー部材により一個の支持部材を被覆するために好適であり、軸周りをうまく被覆できる。
【００１０】
前記下軸孔部と前記上軸孔部とが当接する当接面の一方に他方に向かって延出する舌片が設けられ、他方に前記舌片が差し入る凹溝が設けられているならば、軸体の軸心方向に沿った下軸孔部と上軸孔部とのずれを回避できる。
【００１１】
前記支持部材の上方に第二カバー部材を配置するものとし、前記支持部材の側壁または前記カバー部材の側壁に設けられた被係留部と、前記カバー部材に設けられ、前記支持部材の側壁の外側面とカバー部材の側壁の内側面との間隙を保つ内外スペーサと、前記第二カバー部材に設けられ、前記間隙を介して前記被係留部に係合し、第二カバー部材を前記支持部材または前記カバー部材に係留する係留部とをさらに具備する構造とすれば、第二カバー部材の支持部材からの脱落を効果的に防止することができる。
【００１２】
前記被係留部が、前記支持部材の側壁の下縁に設けられ、さらに、前記カバー部材に、前記支持部材の側壁の下縁とこれに臨む前記カバー部材の下壁との間隙を保つ上下スペーサが設けられており、前記係留部が、前記間隙を介して前記被係留部に係合している構造とすれば、第二カバー部材を支持部材に直接組み付けることができる。
【発明の効果】
【００１３】
本発明によれば、カバーの取付構造を簡素化でき、カバーの支持部材への組み付け作業の手間が軽減される。
【発明を実施するための最良の形態】
【００１４】
本発明の実施の形態を、図面を参照して説明する。図１に示すものは、本実施形態に係るカバーの取付構造を適用した椅子である。概説すると、この椅子は、脚１１と、脚１１に結合した支基１２と、支基１２の後端部に回動軸１６回りに回動可能に軸支させた背支桿１３と、前部を支基１２に、後部を背支桿１３にそれぞれ支持させた座体１４と、背支桿１３に取り付けた背凭れ１５とを備える。
【００１５】
背支桿１３の下部１３１と上部１３２とは、別個の部材である。図２に示すように、背支桿上部１３２は背支桿下部１３１の上端部に回動軸１７回りに回動可能に軸支させてある。背凭れ１５は、その下端部を背支桿下部１３１に固定し、上端部を背支桿上部１３２にスライド機構（図示せず）を介して上下スライド可能に支持させている。
【００１６】
座体１４の前部は支基１２の前部にスライド軸１９を介して前後スライド可能に支持させ、座体１４の後部は背支桿下部１３１の中間部に背座シンクロ軸１８を介して追随可能に軸支させている。
【００１７】
背支桿１３全体を回動軸１６回りに後傾させるシンクロロッキング動作では、座体１４の前部が後方に変位しつつ座体１４の後部が後下方に沈み込む。背支桿下部１３１を動かさず、背支桿上部１３２のみを回動軸１７回りに後傾させるチルト動作では、背凭れ１５の上端部が背支桿上部１３２に対し相対的に下方にスライドする。このとき、背凭れ１５が側面視弓なりに撓み変形し、その下端部と上端部との間にあるランバーサポートが前方に張り出す。
【００１８】
この椅子の背支桿下部１３１及び支基１２はそれぞれ、化粧用のカバー３、４、７、８で覆われてなるものである。以降、化粧カバー３、４、７、８の取付構造に関して述べる。
【００１９】
図２、図３に示すように、背支桿下部１３１は、座体１４の後部を支持する支持部材である背下部フレーム２を主体とする。背下部フレーム２は、左右に対をなす側壁２１と、両側壁２１を剛結する剛結軸２２、２３及び補強材２４とを要素とする金属部材である。
【００２０】
図３ないし図７に示すように、背下部フレーム２の側壁２１は、側面視下端部から後上方に延伸しその上端付近で前上方に屈曲した概形をなす。側壁２１の上端部には、回動軸１７を挿通する。背支桿上部１３２は下端付近が左右の側壁２１間に収まり、その下端付近をこの回動軸１７を以て軸着する。回動軸１７の端部は側壁２１よりも外側方に幾分突出する。回動軸１７の突出端部及び／または側壁２１の上端部は、被掛止部となる。側壁２１の下端部の上縁は上方に延出させ、回動軸１６の軸受とする。側壁２１の中間部の上縁もまた上方に延出させており、ここに軸体たる背座シンクロ軸１８を挿通する。背座シンクロ軸１８の端部は、側壁２１よりも外側方に大きく突出する。側壁２１における、背座シンクロ軸１８の後下方には、被掛止部となる貫通孔２１１を穿設している。なお、側壁２１の下端縁が、下記係留腕４５の爪を係合する被係留部となる。
【００２１】
剛結軸２２、２３は、側壁２１の最下端及び背座シンクロ軸１８から後上方に離間した箇所に存在する。最下端の剛結軸２２は支基１２の直下に所在し、支基１２との間に介在して背支桿１３全体の後傾動作に相対する反力を生み出すスプリング９１の後端をこれに連結する。後上方の剛結軸２３は背支桿上部１３２の下端部の直前に所在し、背支桿上部１３２との間に介在して背支桿上部１３２のみの後傾動作に相対する反力を生み出すスプリング９２の前端をこれに連結する。スプリング９２の後端は、背支桿上部１３２の下端部に連結する。
【００２２】
補強材２４は、両側壁２１間で屈折した板体である。補強材２４の後部は、前上方に屈曲した側壁２１の上端部の前縁に沿うように前上方に延出している。この部位は、背凭れ１５の下端部から後方に突出する固定端１５１を固定するための被固定部２４１となる。加えて、補強材２４の前部には、背支桿１３の軸１６回りの回動を禁止／許容するガススプリング９３の後端を連結する。
【００２３】
背下部フレーム２に取り付けるカバー部材である背下部カバー３は、左右に対をなす側壁３１と、両側壁３１の下縁に連接する下壁３２と、両側壁３１の後縁及び下壁３２の後縁に連接する後壁３３とを備える樹脂成形部材である。背下部カバー３の側壁３１は背下部フレーム２をその下端部を除いて側方から遮蔽し、下壁３２は背下部フレーム２を下方から遮蔽し、後壁３３は背下部フレーム２を後方から遮蔽する。
【００２４】
背下部カバー３の側壁３１は、背下部フレーム２の側壁２１を被覆するべく、側面視下端部から後上方に延伸しその上端付近で前上方に屈曲した概形をなす。側壁３１の下端部の上縁は、側面視部分円弧状に切り欠いてある。背下部カバー３を背下部フレーム２に取り付けたとき、円弧の略中心に回動軸１６がある。また、この円弧状の縁辺に沿って内側方に屈折し、さらにその内側端から前方に延出した縁取部３１１を付設している。
【００２５】
側壁３１の中間部の上縁は上方に延出させた上、背座シンクロ軸１８の外周の下方約半分に当接ないし近接する略半弧状の周縁を形成して下軸孔部３１２とする。下軸孔部３１２の上端面には、下方に凹む凹溝３１３を彫ってある。側壁３１の内側面における、下軸孔部３１２の後下方の箇所には、掛止部となる突起３１４を突設している。突起３１４は、側面視背下部フレーム２に穿設した貫通孔２１１の内径に略合致する大きさの略十字形をなす。
【００２６】
側壁３１の最上端縁には、内側方に突出する庇部３１５を設けている。庇部３１５は、略部分円筒状のもので、背下部フレーム２の側壁２１から突出した回動軸１７の端部及び／または側壁２１の上端部に上方から係合する掛止部となる。
【００２７】
側壁３１の内側面及び下壁３２の上向面には、複数のリブ３１６、３１７、３１８、３２１を立設している。突起３１４を挟んで前後に立設したリブ３１６は、その内側端面が背下部フレーム２の側壁２１の外側面に当接する。最後方のリブ３１８、及びリブ３１６とリブ３１７との間に間欠的に複数本配列したリブ３１７は、側壁３１及び下壁３２に接合する正面視略Ｌ字形をなし、比較的幅寸の狭い上方部位３１７ａ、３１８ａの内側端面が背下部フレーム２の側壁２１の外側面に当接し、比較的幅寸の広い下方部位３１７ｂ，３１８ｂの上端面が背下部フレーム２の側壁２１の下端面に当接する。下壁３２の前縁近傍に立設したリブ３２１は、その上端面が背下部フレーム２の側壁２１の下端面に当接する。リブ３１６、３１７ａ、３１８ａは、背下部フレーム２の側壁２１と背下部カバー３の側壁３１との間隙を保つ内外スペーサとして働く。並びに、リブ３１７ｂ、３１８ｂ、３２１は、背下部フレーム２の側壁２１の下縁と背下部カバー３の下壁３２との間隙を保つ上下スペーサとなる。
【００２８】
背下部カバー３に取り付ける第二カバー部材である第二背下部カバー４は、背下部カバー３の側壁３１の上縁に沿うような形状に成形した薄板状の樹脂成形部材である。第二背下部カバー４は、背下部フレーム２を上方から遮蔽する。第二背下部カバー４の上端付近は、前上方に屈曲している。この屈曲部位は背下部フレーム２の被固定部２４１の前面に当接する部位であり、背凭れ１５における固定端１５１を被固定部２４１に締結するボルト、ビス等の締着具を通過させ得るように窓４１を開けてある。第二背下部カバー４の幅寸は背下部カバー３の両側壁３１の内法に略合致しており、下記上軸孔部４２を除いて第二背下部カバー４の両側端は背下部カバー３の側壁３１のすぐ内側に収まる。
【００２９】
背座シンクロ軸１８に近接する部位は、背座シンクロ軸１８と干渉しないよう上方に突出した略部分円筒状をなす。その側端には、これと直交し側方を向く側壁を部分的に設け、この側壁に背座シンクロ軸１８の外周の上方約半分に当接ないし近接する略半弧状の周縁を形成して上軸孔部４２とする。上軸孔部４２は、第二背下部カバー４の側端よりも板厚分外側方にあって、背下部カバー３の側壁３１と略面一となる。上軸孔部４２の下端面には、下方に延出する舌片４３を突設している。加えて、舌片４３から内側方に偏倚した箇所に、側面視下方に開放した馬蹄状をなし背座シンクロ軸１８に嵌合する嵌合部４４を設けている。
【００３０】
第二背下部カバー４の下向面における側端近傍からは、係留部となる係留腕４５が突出している。係留腕４５は所定距離下方に伸長し、その下端で内側方に突出した爪を有している。この係留腕４５は、リブ３１６、３１７、３１８の存在によって生じる背下部フレーム２の側壁２１と背下部カバー３の側壁３１との間隙、より詳しくは複数並んだリブ３１７間の間隙に差し入る。そして、リブ３１７、３１８、３２１の存在によって生じる背下部フレーム２の側壁２１の下縁と背下部カバー３の下壁３２との間隙を介して、爪を背下部フレーム２の側壁２１の下縁に係合する。
【００３１】
背下部フレーム２にカバー３、４を取り付けるにあたっては、先に背下部カバー３を背下部フレーム２に被せる。図４ないし図６に示しているように、背下部カバー３の内側の突起３１４を背下部フレーム２の側壁２１の貫通孔２１１に外側方から挿入するとともに、庇部３１５を背下部フレーム２に挿通した回動軸１７の端部に上方から引っ掛ける。同時に、下軸孔部３１２に背座シンクロ軸１８の下半部を収容する。
【００３２】
次に、第二背下部カバー４を被せる。図５に示しているように、係留腕４５をリブ３１７間の間隙に上方から差し入れてその爪を背下部フレーム２の側壁２１の下縁に係合させ、嵌合部４４を背座シンクロ軸１８に上方から嵌合させる。なおかつ、図７に示しているように、舌片４３を背下部カバー３側の凹溝３１３に上方から挿入して、上軸孔部４２に背座シンクロ軸１８の上半部を収容する。下軸孔部３１２と上軸孔部４２とは、背座シンクロ軸１８を挿通する一の軸孔を構成する。
【００３３】
また、背下部フレーム２の被固定部２４１の前面側に背凭れ１５の固定端１５１を固定することにより、これら被固定部２４１と固定端１５１との間に第二背下部カバー４の上端部、窓４１の周縁が挟持される状態となる。
【００３４】
しかる後、座体１４の後部を載置する。座体１４は、上面側に座面を形成するクッション等が装着される樹脂成形部材の座受５を主体とする。座受５の下面には、保定部５１を突設してある。この保定部５１は、軸孔３１２、４２を介して背下部カバー３の側壁３１から外側方に突出した背座シンクロ軸１８の端部に嵌合し、これを外側方及び後方から隠蔽する。図６に示しているように、保定部５１を背座シンクロ軸１８の端部に嵌合させたとき、保定部５１の内側面は背下部カバー３の側壁３１の外側面に当接ないし近接する。結果、背下部カバー３の側壁３１が弾性変形等を通じて外側方に変位することが困難となって、突起３１４が貫通孔２１１から脱出したり、庇部３１５が回動軸１７の端部から滑落したりするおそれが低減する。
【００３５】
背下部フレーム２に取り付けた背下部カバー３及び第二背下部カバー４は、背下部フレーム２と一体となって回動軸１６回りに傾動する。これらカバー３、４の取付構造についてまとめると、前記支持部材２の側壁２１に設けられた被掛止部２１１、１７と、前記カバー部材３における前記支持部材２の側壁２１の外側面に臨む側壁３１に設けられ、前記被掛止部２１１、１７に係合してカバー部材３を支持部材２に掛止する掛止部３１４、３１５と、前記座体１４に設けられ、座体１４を前記支持部材２上に配置したときに前記カバー部材３の側壁３１の外側面に当接ないし近接し、当該側壁３１が外側方に変位して前記掛止部３１４、３１５が前記被掛止部２１１、１７、２１から脱離することを抑止する保定部５１とを具備する取付構造としているため、掛止部３１４、３１５と被掛止部２１１、１７、２１との係合構造が簡素なものとしても、カバー部材３の支持部材２からの脱落を効果的に防止することができる。そして、カバー部材３の支持部材２への組み付け作業の手間も軽減される。
【００３６】
前記保定部５１が前記支持部材２に支持され外側方に突出する軸体１８に嵌合するものであるため、カバー部材３の脱落を防止する手段である保定部５１が座体１４を軸体１８に組み付ける手段、または軸体１８を被覆する手段をも兼ねることとなる。即ち、座体１４を軸体１８に組み付ける部材や軸体１８を被覆する部材を別途用いる必要がなくなり、余分な部材点数の増加が避けられる。
【００３７】
前記支持部材２の上方に第二カバー部材４を配置するものとし、前記カバー部材３の側壁３１に設けられ、前記支持部材２に支持され外側方に突出する軸体１８の外周の約半分に当接ないし近接する略半弧状の周縁を有した下軸孔部３１２と、前記第二カバー部材４における前記カバー部材３の側壁３１と略面一となる側壁に設けられ、前記軸体１８の外周の残りの約半分に当接ないし近接する略半弧状の周縁を有した上軸孔部４２とをさらに具備し、前記下軸孔部３１２と前記上軸孔部４２とがなす軸孔に前記軸体１８を挿通している構造としているため、カバー部材３及び第二カバー部材４により一個の支持部材２を被覆するために好適であり、軸１８周りをうまく被覆できる。
【００３８】
前記下軸孔部３１２と前記上軸孔部４２とが当接する当接面の一方に他方に向かって延出する舌片４３が設けられ、他方に前記舌片４３が差し入る凹溝３１３が設けられており、軸体１８の軸心方向に沿った下軸孔部３１２と上軸孔部４２とのずれを回避できる。
【００３９】
前記支持部材２の上方に第二カバー部材４を配置するものとし、前記支持部材２の側壁２１に設けられた被係留部と、前記カバー部材３に設けられ、前記支持部材２の側壁２１の外側面とカバー部材３の側壁３１の内側面との間隙を保つ内外スペーサ３１６、３１７ａ、３１８ａと、前記第二カバー部材４に設けられ、前記間隙を介して前記被係留部に係合し、第二カバー部材４を前記支持部材２に係留する係留部４５とをさらに具備する構造であるため、第二カバー部材４の支持部材２からの脱落を効果的に防止できる。
【００４０】
前記被係留部が、前記支持部材２の側壁２１の下縁に設けられ、さらに、前記カバー部材３に、前記支持部材２の側壁２１の下縁とこれに臨む前記カバー部材３の下壁３２との間隙を保つ上下スペーサ３１７ｂ、３１８ｂ、３２１が設けられており、前記係留部４５が、前記間隙を介して前記被係留部に係合している構造としているため、第二カバー部材４を支持部材２に直接組み付けることができる。
【００４１】
図２、図８に示すように、支基１２は、座体１４の前部を支持する支持部材２であるメインフレーム６を主体とする。メインフレーム６は、上壁６１と、上壁６１の両側から下方に屈曲して左右に対をなす側壁６２と、両側壁６２の前縁に連接しつつ側壁６２の下縁に沿って後下方に湾曲し伸長した前壁６３とを要素とする金属部材である。
【００４２】
図８ないし図１１に示すように、メインフレーム６の上壁６１には、前後二つの開口６１１、６１２が存在する。前方の開口６１１は、背支桿１３全体の後傾動作に相対する反力を生み出すスプリング９１の前端の固定位置近傍に位置しており、この開口６１１の直下にスプリングリテーナや反力調整メカ等を配設する。後方の開口６１２は、脚１１を連結する連結端６１３の直上に位置する。
【００４３】
側壁６２は、側面視前端部から後下方に延伸した概形をなす。側壁６２の前端部の上縁は上方に延出させ、前後方向に拡張した長孔６２１を穿設し、この長孔６２１に軸体たるスライド軸１９を挿通して前後スライド可能に保持する。加えて、長孔６２１の直後に、被係留部となる透孔６２２を穿設している。側壁６２の後端部にはブロック状の軸支持体６２３を設け、背支桿１３の軸１６回りの回動を禁止／許容するガススプリング９３の前端を枢着する。軸支持体６２３は、左右に離間して存在する。各軸支持体６２３の後面にはそれぞれ、切欠６２４を形成している。背支桿１３を軸支する回動軸１６は、側壁６２の後端から前方に偏倚した箇所に挿通する。また、回動軸１６の前上方にも、上壁６１と側壁６２とに跨って被掛止部となる切欠６２５を形成してある。
【００４４】
前壁６３には、貫通孔６３１を左右一対穿設している。
【００４５】
メインフレーム６に取り付けるカバー部材であるメカカバー７は、左右に対をなす側壁７１と、両側壁７１の下縁に連接する下壁７２と、両側壁７１の前縁及び下壁７２の前縁に連接する前壁７３とを備える樹脂成形部材である。メカカバー７の側壁７１はメインフレーム６及び背下部フレーム２の下端部を側方から遮蔽し、下壁７２はメインフレーム６を下方から遮蔽し、前壁７３はメインフレーム６を後方から遮蔽する。
【００４６】
メカカバー７の側壁７１は、メインフレーム６の側壁６２を被覆するべく、側面視前端部から後下方に延伸した概形をなす。側壁７１の前端部の上縁は上方に延出させ、前後方向に拡張した長孔７１１を穿設している。この長孔７１１は、メインフレーム６の側壁６２の長孔６２１と側面視略重合し、やはりスライド軸１９を前後スライド可能に保持する。側壁７１の後端縁は、側面視背下部カバー３の側壁３１の下端部の上縁形状に対応した部分円弧状に成形してある。メカカバー７をメインフレーム６に取り付けたとき、円弧の略中心に回動軸１６がある。因みに、背下部カバー３の側壁３１の縁取部３１１は、この円弧状の縁部のすぐ内側に収まる。
【００４７】
下壁７２の前縁近傍には、爪７２１を設けている。爪７２１は上方に突出し、先端が後方に屈曲している。爪７２１は左右一対存在し、これらがメインフレーム６の前壁６３に穿設した貫通孔６３１の後縁に係合する。並びに、下壁７２の後縁近傍にも、爪７２２を設けている。爪７２２は上方に突出し、先端が前方に屈曲している。爪７２２は左右一対存在し、これらがメインフレーム６の軸支持体６２３に形成した切欠６２４の下縁に係合する。
【００４８】
側壁７１の内側面には、複数のリブ７２３、７２４を立設している。側壁７１に接合するリブ７２３、７２４は、その内側端面がメインフレーム６の側壁６２の外側面に当接する。特に、リブ７２４は平面視略角パイプ状をなしており、その内側壁には被係合部かつ被係留部となる透孔７２５を穿設してある。さらに、このリブ７２４の上縁近傍からは、掛止部となる掛止爪７２６を内側方に突出させている。この掛止爪７２６は、メインフレーム６の上壁６１と側壁６２とに跨る切欠６２５の下縁に係合する。リブ７２３、７２４は、メインフレーム６の側壁６２とメカカバー７の側壁７１との間隙を保つ内外スペーサとして働く。
【００４９】
メカカバー７に取り付ける第二カバー部材である第二メカカバー８は、メカカバー７の側壁７１の上縁に沿うような形状に成形した薄板状の樹脂成形部材である。第二メカカバー８は、メインフレーム６を上方から遮蔽する。第二メカカバー８の幅寸はメカカバー７の両側壁７１の内法に略合致しており、第二メカカバー８の両側端はメカカバー７の側壁７１のすぐ内側に収まる。
【００５０】
第二メカカバー８の下向面における側端近傍からは、係合部かつ係留部となる係留爪８１が突出している。係留爪８１は、その下端が内側方に屈曲している。この係留爪８１は、リブ７２３、７２４の存在によって生じるメインフレーム６の側壁６２とメカカバー７の側壁７１との間隙、より詳しくは平面視略角パイプ状をなすリブ７２４内に差し入る。そして、そのリブ７２４の内側壁にある透孔７２５に外側方から係合する。係留爪８１の前後には突片８２が存在しており、これら突片８２はリブ７２４の前後壁にそれぞれ係合して位置決めとなる。第二メカカバー８の前縁近傍の両側にも、係留部となる爪８３を設けている。爪８３は下方に突出し、先端が側方に屈曲しており、メインフレーム６の側壁６２の前端部に穿設した透孔６２２の上縁に係合する。
【００５１】
その他、中央領域からやや後方に偏倚した箇所にも、爪８４を設けている。爪８４は下方に突出し、先端が前方に屈曲しており、メインフレーム６の上壁６１における後方の開口６１２の後縁に係合する。
【００５２】
メインフレーム６にカバー７、８を取り付けるにあたっては、先にメカカバー７をメインフレーム６に被せる。図９ないし図１１に示すように、メカカバー７の内側の掛止爪７２６をメインフレーム６の上壁６１と側壁６２とに跨る切欠６２５に外側方から係合させるともに、下壁７２の爪７２１、７２２をメインフレーム６の前壁６３の貫通孔６３１及び軸支持体６２３後面の切欠６２４にそれぞれ係合させる。また、長孔６２１にスライド軸１９を挿通する。
【００５３】
次に、第二メカカバー８を被せる。係留爪８１をリブ７２４内に上方から差し入れてこのリブの内側壁の透孔７２５に係合させ、爪８３をメインフレーム６の側壁６２の透孔６２２に係合させ、かつ爪８４をメインフレーム６の上壁の開口６１２に係合させる。左右に対をなす係留爪８１は第二メカカバー８に固定しており、両者の距離は一定である。それら係留爪８１が、メカカバー７の左右の側壁７１に設けた透孔７２５に各々係合し、左右のリブ７２４の距離、ひいては両側壁７１の距離を一定に保つ。総じて、係留爪８１と透孔７２５との係合により、メカカバー７の側壁７１が弾性変形等を通じて外側方に変位することが困難となって、掛止爪７２６が切欠６２５から脱離するおそれが低減する。
【００５４】
しかる後、座体１４の前部を載置する。座受５の下面には、保定部５２を突設してある。この保定部５２は、長孔６２１を介してメカカバー７の側壁７１から外側方に突出したスライド軸１９の端部に嵌合し、これを外側方及び前方から隠蔽する。図１１に示しているように、保定部５２をスライド軸１９の端部に嵌合させたとき、保定部５２の内側面はメカカバー７の側壁７１の外側面に当接ないし近接する。結果、メカカバー７の側壁７１が外側方に変位することがさらに困難となって、掛止爪７２６が切欠６２５から脱離するおそれが一層低減する。
【００５５】
メインフレーム６に取り付けたメカカバー７及び第二メカカバー８は、背支桿下部１３１の回動軸１６回りの傾動には干渉しない。これらカバー７、８の取付構造についてまとめると、前記支持部材６の側壁６２に設けられた被掛止部６２５と、前記カバー部材７における前記支持部材６の側壁６２の外側面に臨む側壁７１に設けられ、前記被掛止部６２５に係合してカバー部材７を支持部材６に掛止する掛止部７２６と、前記座体１４に設けられ、座体１４を前記支持部材６上に配置したときに前記カバー部材７の側壁７１の外側面に当接ないし近接し、当該側壁７１が外側方に変位して前記掛止部７２６が前記被掛止部６２５から脱離することを抑止する保定部５２とを具備する取付構造としているため、掛止部７２６と被掛止部６２５との係合構造が簡素なものとしても、カバー部材７の支持部材６からの脱落を効果的に防止することができる。そして、カバー部材７の支持部材６への組み付け作業の手間も軽減される。
【００５６】
前記保定部５２が前記支持部材６に支持され外側方に突出する軸体１９に嵌合するものであるため、カバー部材７の脱落を防止する手段である保定部５２が座体１４を軸体１９に組み付ける手段、または軸体１９を被覆する手段をも兼ねることとなる。即ち、座体１４を軸体１９に組み付ける部材や軸体１９を被覆する部材を別途用いる必要がなくなり、余分な部材点数の増加が避けられる。
【００５７】
前記支持部材６の上方に第二カバー部材８を配置するものとし、前記カバー部材７の側壁７１に設けられた被係合部７２５と、前記第二カバー部材８に設けられ、前記被係合部７２５に係合し、前記カバー部材７の側壁７１が外側方に変位して前記掛止部７２６が前記被掛止部６２５から脱離することを抑止する係合部８１とをさらに具備する構造としたため、座体１４の保定部５２に加えて第二カバー部材８によってもカバー部材７の支持部材６からの脱落を防止できる。このことは、掛止部７２６と被掛止部６２５との係合構造の一層の簡素化に資する。
【００５８】
前記支持部材６の上方に第二カバー部材８を配置するものとし、前記支持部材６の側壁６２、前記カバー部材７の側壁７１に設けられた被係留部６２２、７２５と、前記カバー部材７に設けられ、前記支持部材６の側壁６２の外側面とカバー部材７の側壁７１の内側面との間隙を保つ内外スペーサ７２３、７２４と、前記第二カバー部材８に設けられ、前記間隙を介して前記被係留部６２２、７２５に係合し、第二カバー部材８を前記カバー部材７に係留する係留部８３、８１とをさらに具備する構造としており、第二カバー部材８の支持部材６からの脱落を効果的に防止できる。
【００５９】
なお、本発明は以上に詳述した実施形態に限られるものではない。例えば、背下部カバー３及び第二背下部カバー４との組において、下軸孔部３１２側に舌片を設け、上軸孔部４２側に舌片を受け入れる凹溝を設けることができる。
【００６０】
その他各部の具体的構成は、本発明の趣旨を逸脱しない範囲で種々変形が可能である。
【図面の簡単な説明】
【００６１】
【図１】本発明の一実施形態を適用した椅子を示す側面図。
【図２】同椅子からカバーを取り外した状態を示す側面図。
【図３】背下部フレーム、背下部カバー及び第二背下部カバーを示す分解斜視図。
【図４】背下部フレームに背下部カバーを取り付けた状態を示す平面図。
【図５】背下部フレームに背下部カバー及び第二背下部カバーを取り付けた状態を示す側断面図。
【図６】背下部フレームに背下部カバー及び第二背下部カバーを取り付けた状態を示す要部正断面図。
【図７】図６の一部を拡大した図。
【図８】メインフレーム、メカカバー及び第二メカカバーを示す分解斜視図。
【図９】メインフレームにメカカバーを取り付けた状態を示す平面図。
【図１０】メインフレームにメカカバー及び第二メカカバーを取り付けた状態を示す側断面図。
【図１１】メインフレームにメカカバー及び第二メカカバーを取り付けた状態を示す要部正断面図。
【符号の説明】
【００６２】
２、６…支持部材
２１１、１７、２１、６２５…被掛止部
３、７…カバー部材
３１４、３１５、７２６…掛止部
４、８…第二カバー部材
１８、１９…軸体
５１、５２…座体の保定部
【図１】
0005187738.tif 000002
【図２】
0005187738.tif 000003
【図３】
0005187738.tif 000004
【図４】
0005187738.tif 000005
【図５】
0005187738.tif 000006
【図６】
0005187738.tif 000007
【図７】
0005187738.tif 000008
【図８】
0005187738.tif 000009
【図９】
0005187738.tif 000010
【図１０】
0005187738.tif 000011
【図１１】
0005187738.tif 000012